(57)【特許請求の範囲】
【請求項１】
画像生成装置と、
第１面と第２面を有し、前記画像生成装置の表示光を出射する側に前記第２面を向け、当該画像生成装置に重ねて配置される第１基板と、
第１面と第２面を有し、前記第１基板に対して前記画像生成装置とは反対側の入力操作側に配置される第２基板と、
前記第１基板の第１面に形成された第１電極と、前記第１基板の第１面に対向する前記第２基板の第１面に形成された第２電極とが互いに対向して配置され、前記第１電極と前記第２電極の接触位置を検出して第１の入力座標を検知する抵抗膜型入力部と、
前記第２基板の第２面側に対向して配置される偏光機能を有する透光性の基材を備え、該基材の前記第２基板の第２面側に第３電極が形成されるとともに、前記第３電極が形成される面の反対面を入力操作面として、導電体が該入力操作面に少なくとも近接したときに、前記第３電極を介して検出される静電容量が変化した位置を検出して第２の入力座標を検知する静電容量結合型入力部と、を有し、
前記抵抗膜型入力部は、前記静電容量結合型入力部への前記導電体の近接が検知されるまでの間は入力検出を行なわない待機状態にあって、前記静電容量結合型入力部が前記入力操作面への前記導電体の近接を検知したとき、入力検出を行なう稼動状態に移行する、入力機能付き表示装置。
【請求項２】
前記第１電極および前記第２電極は、前記待機状態の間、グランド電位に保持される請求項１に記載の入力機能付き表示装置。
【請求項３】
前記静電容量結合型入力部における入力領域と、前記抵抗膜型入力部における入力領域とは平面視における面積が相違する請求項１または２に記載の入力機能付き表示装置。
【請求項４】
前記画像生成装置は、一対の基板と当該一対の基板の間に保持される電気光学物質とを含み、前記第１基板が前記一対の基板のうち何れか一方の基板を兼ねる請求項１に記載の入力機能付き表示装置。
【請求項５】
請求項１に記載の入力機能付き表示装置を備えている電子機器。
【発明の詳細な説明】
【技術分野】
【０００１】
本発明は、指などが接触した位置を検出可能な抵抗膜型パネルを備えた入力機能付き表示装置および電子機器に関するものである。
【背景技術】
【０００２】
携帯電話、カーナビゲーション、パーソナルコンピュータ、券売機、銀行の端末などの
電子機器では、近年、液晶装置などの表面に、タッチパネルと称せられる入力装置が配置
され、液晶装置の画像表示領域に表示された画像を参照しながら、情報の入力が行なえる
ものがある。
【０００３】
このようなタッチパネルのうち、抵抗膜型のタッチパネルでは、対向配置された第１基
板および第２基板において、第１基板および第２基板の互いに対向する面に第１電極およ
び第２電極が各々形成された構造になっており、第２基板が押下されたときに第１電極と
第２電極との接触位置を検出することにより、入力座標を検出する。また、タッチパネル
としては、一枚の基板に電極を形成しておき、指などが接触あるいは近接した際、電極に
結合する静電容量が変化することを検知して入力座標を検出する静電容量型もある。ここ
で、静電容量型のタッチパネルは、抵抗膜型のタッチと違って、非接触で入力できるので
、耐久性に優れているなどの長所を有する一方、指で入力せざるを得ず、ペン入力ができ
ないなどの欠点がある。
【０００４】
そこで、別々の製造した抵抗膜型の入力装置と静電容量型の入力装置を密着した状態に
重ね、複数種類の押下状態を検出可能としたものも提案されている（特許文献１参照）。
【０００５】
【特許文献１】特開平７−３３４３０８号公報
【発明の開示】
【発明が解決しようとする課題】
【０００６】
しかしながら、タッチパネルを画像生成装置に重ねて入力機能付きの表示装置を構成し
た場合、表示装置としての機能しか使われていない間も、タッチパネルを駆動制御するＩ
Ｃでは、無駄な電源供給や信号検出が行なわれるため、消費電力が大きいという問題点が
ある。
【０００７】
以上の問題点に鑑みて、本発明の課題は、電力消費を低く抑えた入力機能付き表示装置、および電子機器を提供することにある。
【課題を解決するための手段】
【０００８】
上記課題を解決するために、本発明に係る入力装置では、画像生成装置と、第１面と第２面を有し、画像生成装置の表示光を出射する側に第２面を向け、当該画像生成装置に重ねて配置される第１基板と、第１面と第２面を有し、第１基板に対して画像生成装置とは反対側の入力操作側に配置される第２基板と、第１基板の第１面に形成された第１電極と、第１基板の第１面に対向する第２基板の第１面に形成された第２電極とが互いに対向して配置され、第１電極と第２電極の接触位置を検出して第１の入力座標を検知する抵抗膜型入力部と、第２基板の第２面側に対向して配置される偏光機能を有する透光性の基材を備え、該基材の第２基板の第２面側に第３電極が形成されるとともに、第３電極が形成される面の反対面を入力操作面として、導電体が該入力操作面に少なくとも近接したときに、第３電極を介して検出される静電容量が変化した位置を検出して第２の入力座標を検知する静電容量結合型入力部と、を有し、抵抗膜型入力部は、静電容量結合型入力部への導電体の近接が検知されるまでの間は入力検出を行なわない待機状態にあって、静電容量結合型入力部が入力操作面への導電体の近接を検知したとき、入力検出を行なう稼動状態に移行する。
本発明では、抵抗膜型入力部に対して入力操作側に非接触で入力可能な入力部を構成し、抵抗膜型入力部は、非接触で入力可能な入力部への近接（すなわち非接触で入力可能な入力部への入力の検出）があるまでの間は入力検出を行なわない待機状態にあって、非接触で入力可能な入力部への近接（すなわち非接触で入力可能な入力部への入力の検出）によって、入力検出を行なう稼動状態に移行する。このため、消費電力を低く抑えることができる。特に、抵抗膜型入力部は、第１電極および第２電極に概ね、常時通電するため、消費電力が大きいが、本発明によれば、かかる抵抗膜型入力部を待機状態にするので、消費電力を確実に低く抑えることができる。しかも、非接触で入力可能な入力部では、指などが接触しなくても、利用者がこれから入力操作を行なおうと指を近接するだけで、かかる動作の有無を検出することができるので、抵抗膜型入力部を待機状態から稼動状態にスムーズに移行させることができる。
【００１０】
本発明において、第１電極および第２電極は、待機状態の間、グランド電位に保持されることが好ましい。このように構成すると、第１電極および第２電極は、静電容量結合型入力部に対するシールド層として機能するため、抵抗膜型入力部が待機状態にある間、外部ノイズに起因する静電容量結合型入力部の誤作動を防止することができる。
【００１４】
本発明に係る入力機能付き表示装置は、携帯電話、カーナビゲーション、パーソナルコンピュータ、券売機、銀行の端末などの電子機器に用いられる。
【発明を実施するための最良の形態】
【００１５】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。
【００１６】
［実施の形態１］
（全体構成）
図１（ａ）、（ｂ）は各々、本発明を適用した入力機能付き表示装置の構成を模式的に
示す説明図、およびその電気的構成を示すブロック図である。図２は、本発明を適用した
入力機能付き表示装置の断面構成を模式的に示す説明図である。なお、図２において、入
力装置の各電極、および液晶装置の画素電極や対向電極などについては数などを簡略化し
て示してある。
【００１７】
図１（ａ）および図２において、本形態の入力機能付き表示装置１００は、概ね、画像
生成装置としての液晶装置５と、この液晶装置５において表示光を出射する側の面に重ね
て配置された入力装置１とを有している。
【００１８】
液晶装置５は、透過型、反射型あるいは半透過反射型のアクティブマトリクス型の液晶
パネル５ａを備えている。本形態において、液晶パネル５ａは、透過型であるため、表示
光の出射側とは反対側にバックライト装置（図示せず）が配置される。また、液晶装置５
において、液晶パネル５ａに対して表示光の出射側には第１偏光板８１が重ねて配置され
、その反対側に第２偏光板８２が重ねて配置されている。
【００１９】
液晶パネル５ａは、表示光の出射側に配置された透光性の素子基板５０と、この素子基
板５０に対して対向配置された透光性の対向基板６０とを備えている。対向基板６０と素
子基板５０とは、枠状のシール材７１により貼り合わされており、対向基板６０と素子基
板５０との間においてシール材７１で囲まれた領域内に液晶層５５（電気光学物質層）が
保持されている。
【００２０】
素子基板５０において、対向基板６０と対向する面には複数の画素電極５８が形成され
、対向基板６０において、素子基板５０と対向する面には共通電極６８が形成されている
。なお、共通電極６８は素子基板５０の側に形成されることもある。また、対向基板６０
が表示光の出射側に配置されることもある。
【００２１】
素子基板５０において、対向基板６０の縁から張り出した張出領域５９には駆動用ＩＣ
７５がＣＯＧ実装されているとともに、張出領域５９にはフレキシブル基板７３が接続さ
れている。なお、素子基板５０には、素子基板５０上のスイッチング素子と同時に駆動回
路を形成することもある。
【００２２】
（入力装置１の詳細構成）
本形態の入力装置１は、液晶装置５に重ねて配置された抵抗膜型入力部２と、この抵抗
膜型入力部２に対して入力操作側に配置された静電容量型入力部４とを備えており、静電
容量型入力部４は、平面視で抵抗膜型入力部２に重なるように構成されている。
【００２３】
本形態において、抵抗膜型入力部２は、ガラス板やプラスチック板などからなる透光性
の第１基板１０と、ガラス板やプラスチック板などからなる透光性の第２基板２０とを備
えており、本形態では、第１基板１０および第２基板２０のいずれにもガラス板が用いら
れている。ここで、第１基板１０と第２基板２０とは、第１面１１、２１同士が所定の隙
間を介して対向するように、枠状のシール材３１によって貼り合わされている。第２基板
２０は入力操作側に配置され、第１基板１０は液晶装置５の側に配置されている。このた
め、第２基板２０は、第２面２２を入力操作側に向けており、第１基板１０は、第２面１
２を液晶装置５の側に向けている。このように構成した抵抗膜型入力部２では、入力を行
なう際、第２基板２０が撓む必要があるので、第２基板２０は、第１基板１０より厚さが
薄く、可撓性を備えている。
【００２４】
第１基板１０の第１面１１において、第２基板２０の縁から張り出した張出領域１３に
はフレキシブル基板３３が接続されている。かかるフレキシブル基板３３は、抵抗膜型入
力部２から外部に信号を出力するための配線部材である。
【００２５】
入力装置１において、抵抗膜型入力部２では、第１基板１０の第１面１１にＩＴＯ膜（
Indium Tin Oxide）からなる透光性の第１電極１５が形成され、第２基板２０の第１面２
１にはＩＴＯ膜からなる透光性の第２電極２５が形成され、その内側は空気層になってい
る。第１基板１０の第１面１１には第１電極１５から張出領域１３に向けて配線パターン
（図示せず）が形成されており、かかる配線パターンによって、第１電極１５からフレキ
シブル基板３３への信号出力が可能になっている。また、シール３１には、表面に金属層
が形成されたプラスチックビーズなどからなる基板間導通材３０が配合されており、基板
間導通材３０は、第１基板１０の第１面１１と第２基板２０の第１面２１との間に介在し
て、第２基板２０の第１面２１に形成されている第２電極２５と、第１基板１０の第１面
１１に形成された配線パターン（図示せず）とを導電接続する。かかる基板間導通材３０
および配線パターンによって、第２電極２５からフレキシブル基板３３への信号出力が可
能になっている。
【００２６】
このように構成した抵抗膜型入力部２では、第２基板２０が押下されたときに押下箇所
で第１電極１５と第２電極２５とが接触するので、その接触位置を検出することにより、
入力座標を検出する。従って、抵抗膜型入力部２では、指やペンなどで第２基板２０の所
定領域を押下することによって情報の入力を行なうことができる。
【００２７】
入力装置１において、抵抗膜型入力部２に用いた第２基板２０の第２面２２には、静電
容量型入力部４を構成するための第３電極４１、４２が形成されており、かかる第３電極
４１、４２は、ＩＴＯ膜からなる透光性導電膜からなる。第３電極４１、４２は、例えば
、互いに交差する方向に延在する複数列の電極パターンからなり、図２には、第３電極４
１、４２を区別せずに模式的に示してある。ここで、第３電極４１、４２は、パッドと称
せられる広い面積の部分を備えている構成、左右逆向きの三角形状のパターンが交互に配
置された構成などが採用される。なお、第３電極４１、４２は、第２基板２０の第２面２
２の端部まで延びており、かかる端部にはフレキシブル基板などの配線部材（図示せず）
が接続されている。
【００２８】
このように構成した静電容量型入力部４では、複数の第３電極４１、４２に順次、電圧
印加して電荷を与えた際、いずれかの箇所に導電体である指が接触または近接すると、第
３電極４１、４２と、指との間で容量が形成され、第３電極４１、４２を介して検出され
る静電容量が低下するので、いずれの箇所に指が接触または近接したかを検出することが
できる。従って、静電容量型入力部４では、非接触状態のままで指により情報の入力を行
なうことはできる。但し、静電容量型入力部４では、絶縁材料からなるペンなどによる入
力は不可能である。
【００２９】
このように構成した入力装置１は概ね全体が透光性であり、液晶装置５で表示した画像
を見ながら情報の入力を行なうことができる。
【００３０】
（動作）
図１（ｂ）に示すように、本形態の入力機能付き表示装置１００は、抵抗膜型入力部２の駆動制御や信号検出を行なう抵抗膜型入力部用制御部８４と、静電容量型入力部４の駆動制御や信号検出を静電容量型入力部用制御部８２と、入力機能付き表示装置全体の制御を行なう制御部８５とを備えている。制御部８５は、液晶装置５の通常の駆動制御を行なうとともに、抵抗膜型入力部用制御部８４および静電容量型入力部用制御部８２での検出結果に基づいて、液晶装置５で表示する画像の切り換えなどの駆動制御も行なう。さらに、制御部８５は、抵抗膜型入力部用制御部８４および静電容量型入力部用制御部８２での検出結果をさらに上位制御部８８に出力する機能も担っている。かかる制御部での動作は、ＲＡＭやＲＯＭなどの記憶部に格納されている動作プログラムに基づいて実行される。
【００３１】
ここで、抵抗膜型入力部用制御部８４は、静電容量型入力部４への接触あるいは近接が
あるまでの間は入力検出を行なわない待機状態にある。かかる待機状態とは、抵抗膜型入
力部２への通電を一切停止した状態、あるいは、抵抗膜型入力部２に通電は行なっている
が、いずれの位置が押下されたかを検出する処理を停止した状態である。本形態では、待
機状態では、抵抗膜型入力部２への通電を一切停止し、第１電極１５および第２電極２５
にはグランド電位に保持する。
【００３２】
一方、静電容量型入力部用制御部８２は、略常時、静電容量型入力部４への指の接触や
近接があるかを監視しており、静電容量型入力部４への指の接触や近接があった場合、そ
の旨を抵抗膜型入力部用制御部８４に出力するとともに、いずれの箇所で指の接触や近接
があったかを検出し、制御部８５に出力する。
【００３３】
そして、抵抗膜型入力部用制御部８４では、静電容量型入力部用制御部８２から静電容
量型入力部４への指の接触や近接（すなわち静電容量入力部への入力の検出）があった旨
の出力があったときには、入力検出を行なう稼動状態に移行する。すなわち、抵抗膜型入
力部用制御部８４は、それまで抵抗膜型入力部２への通電を一切停止した場合には通電を
開始する一方、抵抗膜型入力部２のいずれの位置が接触されたかを検出するための走査を
行なう。
【００３４】
そして、静電容量型入力部４では、液晶装置５で表示されたカーソルキーを指示するこ
とにより、液晶装置５で表示された画面をスクロールする一方、抵抗膜型入力部２では、
液晶装置５で表示された選択ボタンをペン入力で選択するなどの入力が行なわれる。ある
いは、抵抗膜型入力部２への操作によりカーソルなどの移動指示を行ない、静電容量型入
力部４で確定の入力を行なう。
【００３５】
（本形態の主な効果）
以上説明したように、本形態では、抵抗膜型入力部２に対して入力操作側に静電容量型
入力部４を構成し、抵抗膜型入力部２は、静電容量型入力部４への接触あるいは近接によ
って静電容量型入力部４が入力を検知するまでの間は入力検出を行なわない待機状態にあ
って、静電容量型入力部４への接触あるいは近接によって静電容量型入力部４が入力を検
知した場合に、入力検出を行なう稼動状態に移行する。このため、消費電力を低く抑える
ことができる。特に、抵抗膜型入力部２は、従来、第１電極１５および第２電極２５に概
ね、常時通電するため、消費電力が大きいが、本形態によれば、かかる抵抗膜型入力部２
を待機状態にするので、消費電力を確実に低く抑えることができる。しかも、静電容量型
入力部４は、抵抗膜型入力部２に対して入力操作側に配置され、かかる静電容量型入力部
４では、指などが接触しなくても、利用者がこれから入力操作を行なおうと指を近接する
だけで、かかる動作による入力の有無を検出することができるので、抵抗膜型入力部２を
待機状態から稼動状態にスムーズに移行させることができる。
【００３６】
また、本形態において、第１電極１５および第２電極２５は、待機状態の間、グランド
電位に保持されるため、第１電極１５および第２電極２５は、静電容量型入力部４に対す
るシールド層として機能する。このため、抵抗膜型入力部２が待機状態にある間、外部ノ
イズに起因する静電容量型入力部４の誤作動を防止することができる。
【００３７】
さらに、第３電極４１、４２は、第２基板２０の第２面２２に形成されているため、少
ない部材で入力装置１を構成することができる。
【００３８】
［実施の形態２］
実施の形態１では、第３電極４１、４２を第２基板２０の第２面２２に形成したが、図
３を参照して以下に説明するように、本形態では、第３電極４１、４２が第２基板２０と
は別の基板あるいはシートからなる薄い基材に形成されている。
【００３９】
図３は、本発明の実施の形態２に係る入力機能付き表示装置１００の断面構成を模式的
に示す説明図である。なお、本形態の基本的な構成は実施の形態１と同様であるため、共
通する部分には同一の符号を付して図示することにしてそれらの説明を省略する。
【００４０】
図３に示すように、本形態の入力機能付き表示装置１００も、実施の形態１と同様、概
ね、画像生成装置としての液晶装置５と、この液晶装置５において表示光を出射する側の
面に重ねて配置された入力装置１とを有している。また、入力装置１は、液晶装置５に重
ねた配置された抵抗膜型入力部２と、この抵抗膜型入力部２に対して入力操作側に配置さ
れた静電容量型入力部４とを備えており、静電容量型入力部４は、平面視で抵抗膜型入力
部２に重なるように構成されている。
【００４１】
入力装置１において、抵抗膜型入力部２では、第１基板１０の第１面１１に透光性の第
１電極１５が形成され、第２基板２０の第１面２１には透光性の第２電極２５が形成され
ている。
【００４２】
ここで、抵抗膜型入力部２に用いた第２基板２０の第２面２２には、静電容量型入力部
４を構成するための透光性の第３電極４１、４２が形成された透光性の薄い基材４０が重
ねて配置されている。本形態において、基材４０は、第３電極４１、４２を第２基板２０
の第２面２２側に向けて配置されている。このため、基材４０は入力操作側に向いて第３
電極４１、４２に対する保護層として機能する。このため、第３電極４１、４２に対して
別途、保護層を形成しなくてもよいという利点がある。その他の構成は、実施の形態１と
同様であるため、説明を省略する。
また、基材４０を偏光板８１の機能を有する基材４０とすれば、基材４０と第１偏光板
８１とを兼ねることによって、第１偏光板８１を省略することができ、入力装置１の厚さ
を薄くすることが可能となる。さらに、偏光板８１の機能を有するのは基材４０に限らず
、液晶パネル５ａに対して表示光の出射側に配置される部材のいずれかに偏光板８１の機
能を持たせても良い。
【００４３】
このように構成した入力装置１および入力機能付き表示装置１００でも、抵抗膜型入力
部２は、静電容量型入力部４への接触あるいは近接があるまでの間は入力検出を行なわな
い待機状態にあって、静電容量型入力部４への接触あるいは近接によって、入力検出を行
なう稼動状態に移行するため、消費電力を低く抑えることができるなど、実施の形態１と
同様な効果を奏する。
【００４４】
［実施の形態３］
実施の形態１、２では、抵抗膜型入力部２の入力領域の略全域に重なるように静電容量
型入力部４を形成したが、図４を参照して以下に説明するように、抵抗膜型入力部２の入
力領域と、静電容量型入力部４の入力領域とでは、平面視での面積が相違する構成を採用
してもよい。
【００４５】
図４は、本発明の実施の形態３に係る入力機能付き表示装置１００の断面構成を模式的
に示す説明図である。なお、本形態の基本的な構成は実施の形態１と同様であるため、共
通する部分には同一の符号を付して図示することにしてそれらの説明を省略する。
【００４６】
図４に示すように、本形態の入力機能付き表示装置１００も、実施の形態１と同様、概
ね、画像生成装置としての液晶装置５と、この液晶装置５において表示光を出射する側の
面に重ねて配置された入力装置１とを有している。また、入力装置１は、液晶装置５に重
ねた配置された抵抗膜型入力部２と、この抵抗膜型入力部２に対して入力操作側に配置さ
れた静電容量型入力部４とを備えており、静電容量型入力部４は、平面視で抵抗膜型入力
部２に重なるように構成されている。ここで、静電容量型入力部４の入力領域（第３電極
４１、４２が形成されている領域）の面積は、抵抗膜型入力部２の入力領域（第１電極１
５および第２電極２５が形成されている領域）の面積の１／２以下である。その他の構成
は、実施の形態１、２と同様であるため、説明を省略する。
【００４７】
［実施の形態４］
図５は、本発明の実施の形態４に係る入力機能付き表示装置の断面構成を模式的に示す
説明図である。実施の形態１〜３では、入力装置１に入力操作側が開放された状態にあっ
たが、図５に示すように、入力装置１を囲む枠体９０の入力操作面側にシート９１を貼り
付けておき、シート９１と入力装置１とを接着剤９５で接着した構成を採用してもよい。
このように構成すると、入力装置１の平面形状にかかわらず、枠体９０の形状によって、
角部分がＲ形状になっているなど、任意の形状の入力機能付き表示装置を実現することが
できる。また、シート９１が保護層として機能するので、実施の形態１のように、第２基
板２０の第２面２２に第３電極４１、４２を直接形成した場合でも、第３電極４１、４２
の損傷などを防止することができる。
【００４８】
また、シート９１の内面（抵抗膜型入力部２などが配置されている側）に遮光層９２を形成しておけば、静電容量型入力部４、抵抗膜型入力部２および液晶装置５に対する共通の額縁を構成することができる。
【００４９】
また、図示を省略するが、図５に示すシート９１に対して第１偏光板８１を接着固定し
て、入力装置１の入力操作側に第１偏光板８１を配置してもよい。この場合、入力装置１
と液晶装置５との間に配置されていた第１偏光板８１は省略される。また、シート９１を
偏光板８１の機能を有するシート９１とすれば、シート９１と第１偏光板８１とを兼ねる
ことによって、第１偏光板８１を省略することができ、入力装置１の厚さを薄くすること
が可能となる。
【００５０】
［実施の形態５］
図７は、本発明の実施の形態５に係る入力機能付き表示装置の断面構成を模式的に示す
説明図である。実施の形態１〜４では、入力装置１の第１基板１０と液晶パネル５の素子
基板５０とがそれぞれ個別に配置された構成であったが、図７に示すように、入力装置１
の第１基板１０と液晶パネル５の素子基板５０とを兼ねる構成を採用してもよい。このよ
うに構成にすると、抵抗膜型入力部２と静電容量型入力部４とが積層されることによって
厚さが厚くなる入力機能付き表示装置１００の全体の厚さを薄くすることが可能となる。
このような構成の場合、図示を省略するが、第１基板１０と液晶パネル５の素子基板５０
との間に配置されていた第１偏光板は、基材４０の表面或いは裏面に配置する。
【００５１】
また、基材４０を偏光板８１の機能を有する基材４０とすれば、基材４０と第１偏光板
８１とを兼ねることによって、第１偏光板８１を省略することができ、入力機能付き表示
装置１００の厚さをなお一層薄くすることが可能となる。その他の構成は実施の形態２と
略同様であるため、説明を省略する。
【００５２】
［実施の形態６］
図８は、本発明の実施の形態６に係る入力機能付き表示装置の断面構成を模式的に示す説明図である。実施の形態１〜４では、液晶装置５に重ねて配置された抵抗膜型入力部２と、この抵抗膜型入力部２に対して入力操作側に配置された静電容量型入力部４とを備えた入力装置であったが、図８に示すように、静電容量型入力部４に代えて、光学型入力部６を備える入力装置とした構成である。本実施の形態の光学型入力部６は、例えば、抵抗膜型入力部２に対して入力操作側に赤外線の発光素子と受光素子とをマトリクス状に配置して、発光素子から受光素子への赤外光が遮蔽物によって遮られた座標を検出する方式であり、非接触の状態でも座標を検出できる。但し、光学型入力部の方式はこの限りではなく、非接触で座標を検出できる光学型入力部であれば方式は問わない。さらには、抵抗膜型入力部２よりも入力操作側で接触あるいは近接を検出できる入力部であれば光学型入力部に限らずその方式は問わない。その他の構成は実施の形態１と略同様であるため、説明を省略する。
【００５３】
本形態では、抵抗膜型入力部２と光学型入力部６とを構成し、抵抗膜型入力部２は、光
学型入力部６側への接触あるいは近接（すなわち非接触で入力可能な入力部への入力の検
出）があるまでの間は入力検出を行なわない待機状態にあって、光学型入力部６側への接
触あるいは近接（すなわち非接触で入力可能な入力部への入力の検出）によって、入力検
出を行なう稼動状態に移行する。このため、消費電力を低く抑えることができる。特に、
抵抗膜型入力部２は、従来、第１電極１５および第２電極２５に概ね、常時通電するため
、消費電力が大きいが、本形態によれば、かかる抵抗膜型入力部２を待機状態にするので
、消費電力を確実に低く抑えることができる。しかも、光学型入力部６は、指などが接触
しなくても、利用者がこれから入力操作を行なおうと指を近接するだけで、かかる動作に
よる入力の有無を検出することができるので、抵抗膜型入力部２を待機状態から稼動状態
にスムーズに移行させることができる。
【００５４】
［その他の構成］
上記の実施の形態１〜６では、画像生成装置としての液晶装置５を用いたが、有機エレ
クトロルミネッセンス装置やプラズマ表示装置を画像生成装置として用いてもよい。
【００５５】
［電子機器への搭載例］
次に、上述した実施形態に係る入力機能付き表示装置１００を適用した電子機器につい
て説明する。図６（ａ）に、入力機能付き表示装置１００を備えたモバイル型のパーソナ
ルコンピュータの構成を示す。パーソナルコンピュータ２０００は、表示ユニットとして
の入力機能付き表示装置１００と本体部２０１０を備える。本体部２０１０には、電源ス
イッチ２００１及びキーボード２００２が設けられている。図６（ｂ）に、入力機能付き
表示装置１００を備えた携帯電話機の構成を示す。携帯電話機３０００は、複数の操作ボ
タン３００１及びスクロールボタン３００２、並びに表示ユニットとしての入力機能付き
表示装置１００を備える。スクロールボタン３００２を操作することによって、入力機能
付き表示装置１００に表示される画面がスクロールされる。図６（ｃ）に、入力機能付き
表示装置１００を適用した情報携帯端末（ＰＤＡ：Personal Digital Assistants）の構
成を示す。情報携帯端末４０００は、複数の操作ボタン４００１及び電源スイッチ４００
２、並びに表示ユニットとしての入力機能付き表示装置１００を備える。電源スイッチ４
００２を操作すると、住所録やスケジュール帳といった各種の情報が入力機能付き表示装
置１００に表示される。
【００５６】
なお、入力機能付き表示装置１００が適用される電子機器としては、図６に示すものの
他、デジタルスチルカメラ、液晶テレビ、ビューファインダ型、モニタ直視型のビデオテ
ープレコーダ、カーナビゲーション装置、ページャ、電子手帳、電卓、ワードプロセッサ
、ワークステーション、テレビ電話、ＰＯＳ端末、銀行端末などの電子機器などが挙げら
れる。そして、これらの各種電子機器の表示部として、前述した入力機能付き表示装置１
００が適用可能である。
【図面の簡単な説明】
【００５７】
【図１】（ａ）、（ｂ）は各々、本発明を適用した入力機能付き表示装置の構成を模式的に示す説明図、およびその電気的構成を示すブロック図。
【図２】本発明の実施の形態１に係る入力機能付き表示装置の断面構成を模式的に示す説明図。
【図３】本発明の実施の形態２に係る入力機能付き表示装置の断面構成を模式的に示す説明図。
【図４】本発明の実施の形態３に係る入力機能付き表示装置の断面構成を模式的に示す説明図。
【図５】本発明の実施の形態４に係る入力機能付き表示装置の断面構成を模式的に示す説明図。
【図６】本発明に係る入力機能付き表示装置を用いた電子機器の説明図。
【図７】本発明の実施の形態５に係る入力機能付き表示装置の断面構成を模式的に示す説明図。
【図８】本発明の実施の形態６に係る入力機能付き表示装置の断面構成を模式的に示す説明図。
【符号の説明】
【００５８】
１…入力装置、２…抵抗膜型入力部、４…静電容量型入力部、５…液晶装置、６…光学
型入力部、１０…第１基板、１１…第１基板の第１面、１２…第１基板の第２面、１５…
第１基板の第１電極、２０…第２基板、２１…第２基板の第１面、２２…第２基板の第２
面、２５…第２基板の第２電極、４０…基材、４１，４２…第３電極、４３…発光素子、
４４…受光素子、１００…入力機能付き表示装置。
【図１】
0005020165.tif 000002
【図２】
0005020165.tif 000003
【図３】
0005020165.tif 000004
【図４】
0005020165.tif 000005
【図５】
0005020165.tif 000006
【図６】
0005020165.tif 000007
【図７】
0005020165.tif 000008
【図８】
0005020165.tif 000009